(57)【要約】【課題】  撮像の計画を容易に行えるようにする。【解決手段】  制御部１０７は、撮像位置を変えながらの複数回の撮像により得られた複数の親画像上に関心部位を複数設定し、これら複数の親画像をつなぎ合わせた接合画像上にて複数の関心部位に関する近似直線を求め、この近似直線に基づいて、親画像に交差する断面を撮像するための条件を判定する。【選択図】      図１
2007175486.tif 000002
【特許請求の範囲】
【請求項１】
撮像位置を変えながらの複数回の撮像により得られた複数の親画像上に関心部位を複数設定するユニットと、
前記複数の親画像をつなぎ合わせた接合画像上にて前記複数の関心部位に関する近似直線を求めるユニットと、
前記近似直線に基づいて、前記親画像に交差する断面を撮像するための条件を判定する判定ユニットとを具備したことを特徴とする磁気共鳴イメージング装置。
【請求項２】
前記判定ユニットは、前記近似直線に沿うとともに前記親画像に交差する面を断面方向として判定することを特徴とする請求項１または請求項２に記載の磁気共鳴イメージング装置。
【請求項３】
前記判定ユニットは、
前記近似直線を中心とし、かつ前記関心部位の全てを含むカバレージを設定するユニットと、
前記カバレージの大きさと、予め設定されたスライス厚およびスライスギャップとに基づいてスライス枚数を判定するユニットとを具備することを特徴とする請求項１乃至請求項３のいずれか１項に記載の磁気共鳴イメージング装置。
【請求項４】
前記判定ユニットは、前記親画像の中心を通る直線が前記仮想直線と直交する交点に基づいて、１回の撮像に関するスキャン範囲の中心位置を判定することを特徴とする請求項１に記載の磁気共鳴イメージング装置。
【請求項５】
前記判定ユニットは、前記交点を前記スキャン範囲の中心位置とすることを特徴とする請求項４に記載の磁気共鳴イメージング装置。
【請求項６】
前記判定ユニットは、前記複数の親画像のそれぞれに関する前記交点のうちの隣り合う２つの中間点を求め、この中間点から前記仮想直線に沿って予め定められた前記スキャン範囲の幅の半分に相当する距離を離隔した位置を前記スキャン範囲の中心位置とすることを特徴とする請求項４に記載の磁気共鳴イメージング装置。
【請求項７】
前記判定ユニットが判定した条件をオペレータに提示するユニットをさらに備えることを特徴とする請求項１乃至請求項６のいずれか１項に記載の磁気共鳴イメージング装置。
【請求項８】
前記判定ユニットが判定した条件を前記オペレータからの要求に応じて変更するユニットをさらに備えることを特徴とする請求項７に記載の磁気共鳴イメージング装置。
【請求項９】
静磁場中の被検体に対して傾斜磁場および高周波パルスを印加することで磁気共鳴信号を発生させる撮像ユニットと、
前記被検体を載置する天板を前記天板の長手方向にスライドさせる寝台と、
前記磁気共鳴信号を検出する高周波コイルと、
位置決め画像を表示する表示ユニットと、
前記位置決め画像上におけるユーザによる設定指定に応じて複数の関心位置を設定する設定ユニットと、
この設定ユニットにより設定された前記複数の関心位置に従って、当該複数の関心位置を含むカバレージを演算する演算ユニットと、
前記ユーザによる変更指定に応じて前記カバレージを変更する変更手段と、
前記ユーザによる確定指定がなされた時点における前記カバレージが前記静磁場によって規定される撮像可能領域に比べて大きいとき、前記カバレージにおける前記位置決め画像に交差する断面を撮像位置を変えながら複数回撮像するように前記撮像ユニット、前記寝台および前記高周波コイルを制御する制御ユニットとを具備したことを特徴とする磁気共鳴イメージング装置。
【請求項１０】
前記制御手段は、前記複数回の撮像のそれぞれで複数の断面を撮像することを特徴とする請求項９に記載の磁気共鳴イメージング装置。
【請求項１１】
磁気共鳴イメージング装置が撮像を計画するための撮像計画方法であって、
撮像位置を変えながらの複数回の撮像により得られた複数の親画像上に関心部位を複数設定し、
前記複数の親画像をつなぎ合わせた接合画像上にて前記複数の関心部位に関する近似直線を求め、
前記近似直線に基づいて、前記親画像に交差する断面を撮像するための条件を判定することを特徴とする撮像計画方法。
【請求項１２】
前記条件として、前記近似直線に沿うとともに前記親画像に交差する面を断面方向として判定することを特徴とする請求項１１に記載の撮像計画方法。
【請求項１３】
前記近似直線を中心とし、かつ前記関心部位の全てを含むカバレージを設定し、
前記カバレージの大きさと、予め設定されたスライス厚およびスライスギャップとに基づいてスライス枚数を前記条件として判定することを特徴とする請求項１１または請求項１２に記載の撮像計画方法。
【請求項１４】
前記親画像の中心を通る直線が前記仮想直線と直交する交点に基づいて、１回の撮像に関するスキャン範囲の中心位置を前記条件として判定することを特徴とする請求項１１乃至請求項１３に記載の撮像計画方法。
【請求項１５】
前記交点を前記スキャン範囲の中心位置とすることを特徴とする請求項１４に記載の撮像計画方法。
【請求項１６】
前記複数の親画像のそれぞれに関する前記交点のうちの隣り合う２つの中間点を求め、この中間点から前記仮想直線に沿って予め定められた前記スキャン範囲の幅の半分に相当する距離を離隔した位置を前記スキャン範囲の中心位置とすることを特徴とする請求項１４に記載の撮像計画方法。
【請求項１７】
さらに、判定された前記条件をオペレータに提示することを特徴とする請求項１１乃至請求項１６に記載の撮像計画方法。
【請求項１８】
さらに、判定された前記条件を前記オペレータからの要求に応じて変更することを特徴とする請求項１７に記載の撮像計画方法。
【請求項１９】
静磁場中の被検体に対して傾斜磁場および高周波パルスを印加することで磁気共鳴信号を発生させる撮像ユニットと、
前記被検体を載置する天板を前記天板の長手方向にスライドさせる寝台と、
前記磁気共鳴信号を検出する高周波コイルと、
位置決め画像を表示する表示ユニットとを具備した磁気共鳴イメージング装置における撮像方法であって、
前記位置決め画像上におけるユーザによる設定指定に応じて複数の関心位置を設定し、
設定された前記複数の関心位置に従って、当該複数の関心位置を含むカバレージを演算し、
前記ユーザによる変更指定に応じて前記カバレージを変更し、
前記ユーザによる確定指定がなされた時点における前記カバレージが前記静磁場によって規定される撮像可能領域に比べて大きいとき、前記カバレージにおける前記位置決め画像に交差する断面を撮像位置を変えながら複数回撮像するように前記撮像ユニット、前記寝台および前記高周波コイルを制御することを特徴とする撮像方法。
【請求項２０】
前記複数回の撮像のそれぞれで複数の断面を撮像することを特徴とする請求項１９に記載の撮像方法。
【発明の詳細な説明】
【技術分野】
【０００１】
本発明は、撮像位置を変えながらの複数回の撮像を行うことで広領域を撮像する磁気共鳴イメージング装置と、この磁気共鳴イメージング装置が撮像を計画するための撮像計画方法と、上記の磁気共鳴イメージング装置における撮像方法に関する。
【背景技術】
【０００２】
近年、複数回の撮像をその合間に寝台を移動させつつ行うことで、１回の撮像で撮り切れない程の広い領域を撮像する手法（以下、広領域撮像と呼ぶ）が利用されるようになってきている。広領域撮像の現在考えられている用途は以下の通りである。
【０００３】
(1) 全身のメタ検索：STIR-T2、造影、DWIを撮像。
【０００４】
(2) 検査目的の部位を精査した結果、転移の広がりを見たい場合。
【０００５】
・肝臓：肝臓で見つかって他の部位を撮る時は、メタ検索と同じ。STIR、DWI。
【０００６】
・脊椎：腰椎のメタを撮ったら頚椎までも撮りたい：STIR-T2、造影。
【０００７】
脊椎空洞症の場合も同じ。
【０００８】
・大動脈瘤：骨盤部まで撮像したい。
【０００９】
(3) 骨盤部の腫瘤性病変の場合。
【００１０】
Ｚ方向にボリュームがあるので、少しＺ方向にずらして撮像したい場合がある。
【００１１】
(4) 体格の大きな人の腹部検査。
【００１２】
(5) 上腕の血管像（指先から肩まで）。
【００１３】
(6) 延髄を含めた全脊椎撮像。
【００１４】
なお、SPINE画像の自動撮像計画に関しては、米国特許第６６０８９１６号明細書が知られている。椎間板スライス位置自動決定方法としては、特開平７−５１２４８号公報が知られている。磁気共鳴イメージング装置におけるＭＲイメージングの計画方法としては、特許文献１が知られている。また、複数の計測目標を包括するような計画方法に関しては、特許文献２が知られている。
【特許文献１】特開２００３−２１０４３０
【特許文献２】特開平１１−１１３８７６号公報
【発明の開示】
【発明が解決しようとする課題】
【００１５】
しかしながら広領域撮像においては、従来のように関心領域を中心として位置どりや、折返しの影響のないようなＦＯＶ（field of view）の選択などを考慮する以外に、撮像間でのスライスの連続性や、空間分解能を揃えるなどの配慮が必要となり、撮像の計画に手間がかかるという不具合がある。
【００１６】
本発明はこのような事情を考慮してなされたものであり、その目的とするところは、撮像の計画を容易に行えるようにすることにある。
【課題を解決するための手段】
【００１７】
本発明の第１の態様による磁気共鳴イメージング装置は、撮像位置を変えながらの複数回の撮像により得られた複数の親画像上に関心部位を複数設定するユニットと、前記複数の親画像をつなぎ合わせた接合画像上にて前記複数の関心部位に関する近似直線を求めるユニットと、前記近似直線に基づいて、前記親画像に交差する断面を撮像するための条件を判定する判定ユニットとを備える。
【００１８】
本発明の第２の態様による磁気共鳴イメージング装置は、静磁場中の被検体に対して傾斜磁場および高周波パルスを印加することで磁気共鳴信号を発生させる撮像ユニットと、前記被検体を載置する天板を前記天板の長手方向にスライドさせる寝台と、前記磁気共鳴信号を検出する高周波コイルと、位置決め画像を表示する表示ユニットと、前記位置決め画像上におけるユーザによる設定指定に応じて複数の関心位置を設定する設定ユニットと、この設定ユニットにより設定された前記複数の関心位置に従って、当該複数の関心位置を含むカバレージを演算する演算ユニットと、前記ユーザによる変更指定に応じて前記カバレージを変更する変更手段と、前記ユーザによる確定指定がなされた時点における前記カバレージが前記静磁場によって規定される撮像可能領域に比べて大きいとき、前記カバレージにおける前記位置決め画像に交差する断面を撮像位置を変えながら複数回撮像するように前記撮像ユニット、前記寝台および前記高周波コイルを制御する制御ユニットとを備える。
【００１９】
本発明の第３の態様による撮像計画方法は、撮像位置を変えながらの複数回の撮像により得られた複数の親画像上に関心部位を複数設定し、前記複数の親画像をつなぎ合わせた接合画像上にて前記複数の関心部位に関する近似直線を求め、前記近似直線に基づいて、前記親画像に交差する断面を撮像するための条件を判定する。
【００２０】
本発明の第４の態様による撮像方法は、位置決め画像上におけるユーザによる設定指定に応じて複数の関心位置を設定し、設定された前記複数の関心位置に従って、当該複数の関心位置を含むカバレージを演算し、前記ユーザによる変更指定に応じて前記カバレージを変更し、前記ユーザによる確定指定がなされた時点における前記カバレージが前記静磁場によって規定される撮像可能領域に比べて大きいとき、前記カバレージにおける前記位置決め画像に交差する断面を撮像位置を変えながら複数回撮像するように撮像ユニット、寝台および高周波コイルを制御する。
【発明の効果】
【００２１】
本発明によれば、撮像の計画を容易に行えるようにすることができる。
【発明を実施するための最良の形態】
【００２２】
以下、図面を参照して本発明の一実施形態について説明する。
【００２３】
図１は本実施形態に係る磁気共鳴イメージング装置（ＭＲＩ装置）の構成を示す図である。この図１に示すＭＲＩ装置は、静磁場磁石１、傾斜磁場コイル２、傾斜磁場電源３、寝台４、寝台制御部５、送信ＲＦコイル６、送信部７、受信ＲＦコイル８、受信部９および計算機システム１０を具備する。
【００２４】
静磁場磁石１は、中空の円筒形をなし、内部の空間に一様な静磁場を発生する。この静磁場磁石１としては、例えば永久磁石、超伝導磁石等が使用される。
【００２５】
傾斜磁場コイル２は、中空の円筒形をなし、静磁場磁石１の内側に配置される。傾斜磁場コイル２は、互いに直交するＸ，Ｙ，Ｚの各軸に対応する３つのコイルが組み合わされている。傾斜磁場コイル２は、上記の３つのコイルが傾斜磁場電源３から個別に電流供給を受けて、磁場強度がＸ，Ｙ，Ｚの各軸に沿って傾斜する傾斜磁場を発生する。なお、Ｚ軸方向は、例えば静磁場と同方向とする。Ｘ，Ｙ，Ｚ各軸の傾斜磁場は、例えば、スライス選択用傾斜磁場Ｇs、位相エンコード用傾斜磁場Ｇeおよびリードアウト用傾斜磁場Ｇrにそれぞれ対応される。スライス選択用傾斜磁場Ｇsは、任意に撮像断面を決めるために利用される。位相エンコード用傾斜磁場Ｇeは、空間的位置に応じて磁気共鳴信号の位相をエンコードするために利用される。リードアウト用傾斜磁場Ｇrは、空間的位置に応じて磁気共鳴信号の周波数をエンコードするために利用される。
【００２６】
被検体Ｐは、寝台４の天板４１に載置された状態で傾斜磁場コイル２の空洞（撮像口）内に挿入される。寝台４の天板４１は寝台制御部５により駆動され、その長手方向および上下方向に移動する。通常、この長手方向が静磁場磁石１の中心軸と平行になるように寝台４が設置される。
【００２７】
送信ＲＦコイル６は、傾斜磁場コイル２の内側に配置される。送信ＲＦコイル６は、送信部７から高周波パルスの供給を受けて、高周波磁場を発生する。
【００２８】
送信部７は、発振部、位相選択部、周波数変換部、振幅変調部、高周波電力増幅部などを内蔵する。発振部は、静磁場中における対象原子核に固有の共鳴周波数の高周波信号を発生する。位相選択部は、上記高周波信号の位相を選択する。周波数変換部は、位相選択部から出力された高周波信号の周波数を変換する。振幅変調部は、周波数変調部から出力された高周波信号の振幅を例えばシンク関数に従って変調する。高周波電力増幅部は、振幅変調部から出力された高周波信号を増幅する。そしてこれらの各部の動作の結果として送信部７は、ラーモア周波数に対応する高周波パルスを送信ＲＦコイル６に送信する。
【００２９】
受信ＲＦコイル８は、傾斜磁場コイル２の内側に配置される。受信ＲＦコイル８は、上記の高周波磁場の影響により被検体から放射される磁気共鳴信号を受信する。受信ＲＦコイル８からの出信号は、受信部９に入力される。
【００３０】
受信部９は、受信ＲＦコイル８からの出力信号に基づいて磁気共鳴信号データを生成する。
【００３１】
計算機システム１０は、インタフェース部１０１、データ収集部１０２、再構成部１０３、記憶部１０４、表示部１０５、入力部１０６および制御部１０７を有している。
【００３２】
インタフェース部１０１には、傾斜磁場電源３、寝台制御部５、送信部７、受信ＲＦコイル８および受信部９等が接続される。インタフェース部１０１は、これらの接続された各部と計算機システム１０との間で授受される信号の入出力を行う。
【００３３】
データ収集部１０２は、受信部９から出力されるデジタル信号をインタフェース部１０１を介して収集する。データ収集部１０２は、収集したデジタル信号、すなわち磁気共鳴信号データを、記憶部１０４に格納する。
【００３４】
再構成部１０３は、記憶部１０４に記憶された磁気共鳴信号データに対して、後処理、すなわちフーリエ変換等の再構成を実行し、被検体Ｐ内の所望核スピンのスペクトラムデータあるいは画像データを求める。
【００３５】
記憶部１０４は、磁気共鳴信号データと、スペクトラムデータあるいは画像データとを、患者毎に記憶する。
【００３６】
表示部１０５は、スペクトラムデータあるいは画像データ等の各種の情報を制御部１０７の制御の下に表示する。表示部１０５としては、液晶表示器などの表示デバイスを利用可能である。
【００３７】
入力部１０６は、オペレータからの各種指令や情報入力を受け付ける。入力部１０６としては、マウスやトラックボールなどのポインティングデバイス、モード切替スイッチ等の選択デバイス、あるいはキーボード等の入力デバイスを適宜に利用可能である。
【００３８】
制御部１０７は、図示していないＣＰＵやメモリ等を有しており、本実施形態のＭＲＩ装置を総括的に制御する。制御部１０７は、ＭＲＩ装置における周知の機能を実現するための制御機能の他に、撮像の計画を支援するための後述のような処理を実行する機能を備える。
【００３９】
次に以上のように構成されたＭＲＩ装置の動作について説明する。
【００４０】
なおここでは、広領域撮像がよく適用されるTotal Spine撮像を例として、サジタル画像を親画像としてコロナル画像（直交コロナルからオブリークがかかっている）を、３回のスキャンに分けて撮像する具体例を参照しながら、撮像計画をたてる処理について説明する。なお、親画像の撮像においても３回のスキャンが行われており、３つの親画像が用意されていることとする。
【００４１】
図２は撮像計画のために撮像条件の設定を支援するための制御部１０７の処理手順を示すフローチャートである。
【００４２】
ステップＳａ１において制御部１０７は、複数の関心部位を、例えばユーザの指定に基づいて設定する。関心部位の指定は、マウスやテンキーによる指定や、「頚椎の５番目」などのように名前による指定などとする。関心部位は、親画像の全てに指定されることが望ましい。
【００４３】
図３は３つの親画像のそれぞれの一例を示す図である。図３（ａ）は脊椎、図３（ｂ）は胸椎、図３（ｃ）は腰椎をそれぞれ主な撮像対象としている。この親画像は、各部位を磁場中心に移動させながらＭＲ信号を収集することで、静磁場や傾斜磁場の分布の不均一による画像歪みが少なくなり、分解能がよくなっている。そして図３（ａ），３（ｂ），３（ｃ）においては、それぞれ×印で示す４つの関心部位２０１〜２０４が設定されている。このように関心部位は、通常は椎体、椎間板、あるいは脊髄などの部分から選択される。
【００４４】
図４は３つの親画像を患者座標系での位置情報をもとにつなぎ合わせた画像上で関心部位を示した図である。なお、関心部位の指定をこのつなぎ合わせた画像上で受け付けるようにしても良い。
【００４５】
ステップＳａ２において制御部１０７は、関心部位の患者座標系での位置座標を、最小２乗法などを用いて直線回帰することで近似直線を求める。図５は関心部位２０１〜２０４に関して求められた近似直線２０５を示す図である。ステップＳａ３において制御部１０７は、近似直線２０５の向きに平行な方向を断面方向として判定する。ただし、近似直線２０５と親画像以外のスライス上で指定された１点をスライス面とし、このスライス面に平行な方向を断面方向としても良い。
【００４６】
ステップＳａ４において制御部１０７は、関心部位のそれぞれについて、近似直線からの離隔距離を計算した上で、その最大値を最大離隔距離として求める。上記の具体例においては、図６に示すように関心部位２０３と近似直線２０５との離隔距離が最大離隔距離となる。ステップＳａ５において制御部１０７は、近似直線を中心とするカバレージが全ての関心部位を含むために必要なカバレージの厚みを最大離隔距離に基づいて判定する。最も単純には、カバレージの厚みは、最大離隔距離の２倍とすれば良い。しかし、少し外側までカバーする必要がある場合には、最大離隔距離に一定の値（例えば、１スライス分のスライス厚など）を加えた距離の２倍とする。
【００４７】
ステップＳａ６において制御部１０７は、ステップＳａ２で求めた近似直線を中心として、ステップＳａ５で判定した厚みを持つ領域をカバレージとして判定する。図７は関心部位２０１〜２０４および近似直線２０５に基づいて判定されたカバレージ２０６を示す図である。
【００４８】
ステップＳａ７において制御部１０７は、ステップＳａ５で判定した厚みと撮像条件として予め設定されたスライス厚およびスライスギャップからスライス枚数を判定する。スライス枚数は、カバレージの厚みをＣｔ、スライス厚をＳｔ、スライスギャップをＳｗと置くと、例えば次の式によって求めることができる。
【００４９】
スライス枚数＝FuncA（（Ｃｔ）／（Ｓｔ＋Ｓｇ））
ここで、FuncA（x）はｘを超える最も小さい整数である。
【００５０】
ステップＳａ８において制御部１０７は、カバレージの全てを撮像するための複数回の撮像のそれぞれに関するスライス中心位置を判定する。この判定にはいくつかの方法を適用可能であるが、そのうちの代表的な２つについて以下に説明する。
【００５１】
(1) 第１の方法
制御部１０７は図８に示すように、親画像の中心点ＣＰ１，ＣＰ２，ＣＰ３のそれぞれから近似直線２０５に落とした垂線と近似直線２０５との交点ＩＰ１，ＩＰ２，ＩＰ３をそれぞれ求める。そして制御部１０７は、この交点ＩＰ１，ＩＰ２，ＩＰ３を、それぞれ１回目乃至３回目の撮像におけるスライス中心位置であると判定する。なお図８では、親画像はその外枠のみを示している。
【００５２】
(2) 第２の方法
制御部１０７は、第１の方法と同様にして交点ＩＰ１，ＩＰ２，ＩＰ３を求める。次に制御部１０７は、各交点の中間点（全ての交点で重みを「１」とした場合での重心）をカバレージ中心とし、カバレージ中心およびカバレージ中心から予め設定されたＦＯＶの距離分だけ近似直線２０５に平行な方向に移動させた点をそれぞれのスライス中心位置とする。
【００５３】
ステップＳａ９において制御部１０７は、これまでに判定した、断面方向、スライス枚数およびスライス中心位置などを撮像条件として、例えば表示部１０５に表示させる。
【００５４】
こののちにステップＳａ１０およびステップＳａ１１において制御部１０７は、表示されている撮像条件の変更または確定が指定されるのを待ち受ける。例えば入力部１０６のオペレータ操作により変更が指定されたならば、制御部１０７はステップＳａ１０からステップＳａ１１へ進む。ステップＳａ１１において制御部１０７は、オペレータの要求に応じて撮像条件を変更する。こののちに制御部１０７は、ステップＳａ１０およびステップＳａ１１の待ち受け状態に戻る。
【００５５】
そして、例えば入力部１０６でのオペレータ操作により確定が指示されたならば、これをもって撮像計画終了とし、制御部１０７は図２に示す処理を終了する。
【００５６】
さて、以上のように行われた撮像計画に基づく撮像に際しては、カバレージにおける親画像に交差する断面を撮像する。カバレージが１回の撮像可能領域よりも大きい場合には、制御部１０７は、天板４１を移動させながら複数回の撮像を行うように傾斜磁場電源３寝台制御部５、送信部７、受信部９およびデータ収集部１０２などを制御する。
【００５７】
具体的には、制御部１０７は、次のような手順での撮像が行われるように各部を制御する。
【００５８】
図７に示すように判定されたカバレージ２０６に対して、例えば図９に示すようにスライス301-1〜301-8，302-1〜302-8，303-1〜303-8が設定されたとする。この場合、天板４１を静止させた状態で、まずスライス301-1〜301-8をそれぞれ撮像する。次に天板４１を長手方向に適量移動させた後に天板４１を静止させた上で、スライス302-1〜302-8をそれぞれ撮像する。さらに天板４１を長手方向に適量移動させた後に天板４１を静止させた上で、スライス303-1〜303-8をそれぞれ撮像する。
【００５９】
このような撮像動作により、カバレージが１回の撮像可能領域よりも大きくとも、カバレージ内の全域が撮像される。
【００６０】
以上のように本実施形態のＭＲＩ装置によれば、広領域撮像に係わる撮像条件の一部を自動的に判定するので、この自動判定された結果を参照することによりオペレータは撮像の計画を容易に行うことができる。
【００６１】
この実施形態は、次のような種々の変形実施が可能である。
【００６２】
カバレージの厚みやカバレージなども撮像条件として表示しても良い。断面方向、スライス枚数およびスライス中心位置の表示を行わなくても良い。
【００６３】
ＦＯＶやスライスの配置などの他の情報を撮像条件の一つとして判定するようにしても良い。そして、これらの他の情報も表示しても良い。特にＦＯＶを表示する場合には、隣接するＦＯＶがオーバーラップする様子が分かり易いように表示すると便利である。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６５】
【図１】本発明の一実施形態に係る磁気共鳴イメージング装置（ＭＲＩ装置）の構成を示す図。
【図２】撮像計画のために撮像条件の設定を支援するための図１中の制御部の処理手順を示すフローチャート。
【図３】３つの親画像のそれぞれの一例を示す図。
【図４】図３に示した３つの親画像を患者座標系での位置情報をもとにつなぎ合わせた画像上で関心部位を示した図。
【図５】図４に示した４つの関心部位に関して求められた近似直線を示す図。
【図６】図４に示した４つの関心部位と近似直線との離隔距離を比較して示す図。
【図７】図４に示した４つの関心部位および近似直線に基づいて判定されたカバレージを示す図。
【図８】スライス中心位置の判定方法を説明する図。
【図９】撮像スライスの設定状況の一例を示す図。
【符号の説明】
【００６６】
１…静磁場磁石、２…傾斜磁場コイル、３…傾斜磁場電源、４…寝台、５…寝台制御部、６…送信ＲＦコイル、７…送信部、８…受信ＲＦコイル、９…受信部、１０…計算機システム、１０１…インタフェース部、１０２…データ収集部、１０３…再構成部、１０４…記憶部、１０５…表示部、１０６…入力部、１０７…制御部。
【図１】
2007175486.tif 000003
【図２】
2007175486.tif 000004
【図３】
2007175486.tif 000005
【図４】
2007175486.tif 000006
【図５】
2007175486.tif 000007
【図６】
2007175486.tif 000008
【図７】
2007175486.tif 000009
【図８】
2007175486.tif 000010
【図９】
2007175486.tif 000011